【手続補正書】
【提出日】平成29年4月13日(2017.4.13)
【手続補正１】
【補正対象書類名】特許請求の範囲
【補正対象項目名】全文
【補正方法】変更
【補正の内容】
【特許請求の範囲】
【請求項１】
ユーザ識別情報にゲームオブジェクトが関連づけられたゲームを実行するゲームシステムにおいて、
第１ユーザ識別情報に関連づけられたゲームオブジェクトのうちから選択される少なくとも一つの入手希望ゲームオブジェクトと、第２ユーザ識別情報に関連づけられたゲームオブジェクトのうちから選択される少なくとも一つの提供希望ゲームオブジェクトとの交換申請を、前記第２ユーザ識別情報によって識別される第２ユーザから受け付ける交換申請受付手段と、
前記交換申請に基づいて、前記入手希望ゲームオブジェクトと前記提供希望ゲームオブジェクトとの交換を前記第１ユーザ識別情報と前記第２ユーザ識別情報との間で実行する交換実行手段と、
を含み、
前記交換申請受付手段は、前記入手希望ゲームオブジェクトの選択と前記提供希望ゲームオブジェクトの選択とを前記第２ユーザから受け付ける選択受付手段を含み、前記選択受付手段は、一回の交換における前記入手希望ゲームオブジェクト及び前記提供希望ゲームオブジェクトの少なくとも一方として、前記第２ユーザから任意の組み合わせのゲームオブジェクトの選択を受け付け、
前記交換申請受付手段は、前記第１ユーザ識別情報に関連づけられたゲームオブジェクトのうちの同一のゲームオブジェクトが前記入手希望ゲームオブジェクトとして選択された複数の交換申請を受け付け可能であり、
前記ゲームシステムは、前記複数の交換申請のうちの一の交換申請に対する承諾を、前記第１ユーザ識別情報によって識別される第１ユーザから受け付ける承諾受付手段を含み、
前記交換実行手段は、前記第１ユーザによって前記複数の交換申請のうちの一の交換申請が承諾された場合に、当該一の交換申請における前記入手希望ゲームオブジェクトと、当該一の交換申請における前記提供希望ゲームオブジェクトとの交換を実行し、
前記ゲームシステムは、前記第１ユーザによって前記複数の交換申請のうちの一の交換申請が承諾された場合に、前記複数の交換申請のうちの他の交換申請を取り消す交換申請取消手段を含む、
ことを特徴とするゲームシステム。
【請求項２】
ユーザ識別情報にゲームオブジェクトが関連づけられたゲームを実行するゲームシステムにおいて、
第１ユーザ識別情報に関連づけられたゲームオブジェクトのうちから選択される少なくとも一つの入手希望ゲームオブジェクトと、第２ユーザ識別情報に関連づけられたゲームオブジェクトのうちから選択される少なくとも一つの提供希望ゲームオブジェクトとの交換申請を、前記第２ユーザ識別情報によって識別される第２ユーザから受け付ける交換申請受付手段と、
前記交換申請に基づいて、前記入手希望ゲームオブジェクトと前記提供希望ゲームオブジェクトとの交換を前記第１ユーザ識別情報と前記第２ユーザ識別情報との間で実行する交換実行手段と、
を含み、
前記交換申請受付手段は、前記入手希望ゲームオブジェクトの選択と前記提供希望ゲームオブジェクトの選択とを前記第２ユーザから受け付ける選択受付手段を含み、前記選択受付手段は、一回の交換における前記入手希望ゲームオブジェクト及び前記提供希望ゲームオブジェクトの少なくとも一方として、前記第２ユーザから任意の組み合わせのゲームオブジェクトの選択を受け付け、
前記ゲームシステムは、前記第１ユーザ識別情報に関連づけられたゲームオブジェクトのうちの少なくとも一つを前記入手希望ゲームオブジェクトとして選択するための入手希望選択画面画像を前記第２ユーザの表示装置に表示させるための制御を実行する手段を含み、
前記入手希望選択画面画像には、前記第１ユーザ識別情報に関連づけられたゲームオブジェクトが前記入手希望ゲームオブジェクトとして選択された既存の交換申請に関する情報が表示される、
ことを特徴とするゲームシステム。
【請求項３】
ユーザ識別情報にゲームオブジェクトが関連づけられたゲームを実行するゲームシステムにおいて、
第１ユーザ識別情報に関連づけられたゲームオブジェクトのうちから選択される少なくとも一つの入手希望ゲームオブジェクトと、第２ユーザ識別情報に関連づけられたゲームオブジェクトのうちから選択される少なくとも一つの提供希望ゲームオブジェクトとの交換申請を、前記第２ユーザ識別情報によって識別される第２ユーザから受け付ける交換申請受付手段と、
前記交換申請に基づいて、前記入手希望ゲームオブジェクトと前記提供希望ゲームオブジェクトとの交換を前記第１ユーザ識別情報と前記第２ユーザ識別情報との間で実行する交換実行手段と、
を含み、
前記交換申請受付手段は、前記入手希望ゲームオブジェクトの選択と前記提供希望ゲームオブジェクトの選択とを前記第２ユーザから受け付ける選択受付手段を含み、前記選択受付手段は、一回の交換における前記入手希望ゲームオブジェクト及び前記提供希望ゲームオブジェクトの少なくとも一方として、前記第２ユーザから任意の組み合わせのゲームオブジェクトの選択を受け付け、
前記ゲームシステムは、前記第１ユーザ識別情報に関連づけて記憶される、前記第１ユーザ識別情報によって識別される第１ユーザが所望するゲームオブジェクトのリストデータに基づいて、前記第１ユーザ識別情報に対する交換申請の一覧を示す交換申請一覧画面画像を前記第１ユーザの表示装置に表示させるための制御を実行する手段を含み、
前記交換申請一覧画面画像には、前記第１ユーザ識別情報に対する交換申請のうちの、前記リストデータに含まれるゲームオブジェクトが前記提供希望オブジェクトとして選択されている交換申請が優先表示又は区別表示される、
ことを特徴とするゲームシステム。
【請求項４】
ユーザ識別情報にゲームオブジェクトが関連づけられたゲームを実行するゲームシステムにおいて、
第１ユーザ識別情報に関連づけられたゲームオブジェクトのうちから選択される少なくとも一つの入手希望ゲームオブジェクトと、第２ユーザ識別情報に関連づけられたゲームオブジェクトのうちから選択される少なくとも一つの提供希望ゲームオブジェクトとの交換申請を、前記第２ユーザ識別情報によって識別される第２ユーザから受け付ける交換申請受付手段と、
前記交換申請に基づいて、前記入手希望ゲームオブジェクトと前記提供希望ゲームオブジェクトとの交換を前記第１ユーザ識別情報と前記第２ユーザ識別情報との間で実行する交換実行手段と、
を含み、
前記交換申請受付手段は、前記入手希望ゲームオブジェクトの選択と前記提供希望ゲームオブジェクトの選択とを前記第２ユーザから受け付ける選択受付手段を含み、前記選択受付手段は、一回の交換における前記入手希望ゲームオブジェクト及び前記提供希望ゲームオブジェクトの少なくとも一方として、前記第２ユーザから任意の組み合わせのゲームオブジェクトの選択を受け付け、
前記ゲームシステムは、前記第１ユーザ識別情報に関連づけて記憶される、前記第１ユーザ識別情報によって識別される第１ユーザが所望するゲームオブジェクトのリストデータに基づいて、前記第１ユーザ識別情報に対する交換申請の内容を示す交換申請内容画面画像を前記第１ユーザの表示装置に表示させるための制御を実行する手段を含み、
前記交換申請内容画面画像には、前記交換申請において前記提供希望ゲームオブジェクトとして選択されているゲームオブジェクトのうちの、前記リストデータに含まれるゲームオブジェクトが優先表示又は区別表示される、
ことを特徴とするゲームシステム。
【請求項５】
ユーザ識別情報にゲームオブジェクトが関連づけられたゲームを実行するゲームシステムにおいて、
第１ユーザ識別情報に関連づけられたゲームオブジェクトのうちから選択される少なくとも一つの入手希望ゲームオブジェクトと、第２ユーザ識別情報に関連づけられたゲームオブジェクトのうちから選択される少なくとも一つの提供希望ゲームオブジェクトとの交換申請を、前記第２ユーザ識別情報によって識別される第２ユーザから受け付ける交換申請受付手段と、
前記交換申請に基づいて、前記入手希望ゲームオブジェクトと前記提供希望ゲームオブジェクトとの交換を前記第１ユーザ識別情報と前記第２ユーザ識別情報との間で実行する交換実行手段と、
を含み、
前記交換申請受付手段は、前記入手希望ゲームオブジェクトの選択と前記提供希望ゲームオブジェクトの選択とを前記第２ユーザから受け付ける選択受付手段を含み、前記選択受付手段は、一回の交換における前記入手希望ゲームオブジェクト及び前記提供希望ゲームオブジェクトの少なくとも一方として、前記第２ユーザから任意の組み合わせのゲームオブジェクトの選択を受け付け、
前記ゲームシステムは、
前記第１ユーザ識別情報に関連づけられたゲームオブジェクトのうちの少なくとも一つの選択を、前記第１ユーザ識別情報によって識別される第１ユーザから受け付ける手段と、
前記第１ユーザによって選択されたゲームオブジェクトが前記入手希望ゲームオブジェクトとして選択されている交換申請に関する情報を前記第１ユーザの表示装置に表示させるための制御を実行する手段と、を含む、
ことを特徴とするゲームシステム。
【請求項６】
ユーザ識別情報にゲームオブジェクトが関連づけられたゲームを実行するゲームシステムにおいて、
第１ユーザ識別情報に関連づけられたゲームオブジェクトのうちから選択される少なくとも一つの入手希望ゲームオブジェクトと、第２ユーザ識別情報に関連づけられたゲームオブジェクトのうちから選択される少なくとも一つの提供希望ゲームオブジェクトとの交換申請を、前記第２ユーザ識別情報によって識別される第２ユーザから受け付ける交換申請受付手段と、
前記交換申請に基づいて、前記入手希望ゲームオブジェクトと前記提供希望ゲームオブジェクトとの交換を前記第１ユーザ識別情報と前記第２ユーザ識別情報との間で実行する交換実行手段と、
を含み、
前記交換申請受付手段は、前記入手希望ゲームオブジェクトの選択と前記提供希望ゲームオブジェクトの選択とを前記第２ユーザから受け付ける選択受付手段を含み、前記選択受付手段は、一回の交換における前記入手希望ゲームオブジェクト及び前記提供希望ゲームオブジェクトの少なくとも一方として、前記第２ユーザから任意の組み合わせのゲームオブジェクトの選択を受け付け、
前記ゲームシステムは、前記第１ユーザ識別情報に関連づけて記憶される、前記第１ユーザ識別情報によって識別される第１ユーザが所望するゲームオブジェクトのリストデータに基づいて、前記第２ユーザ識別情報に関連づけられたゲームオブジェクトのうちの少なくとも一つを前記提供希望ゲームオブジェクトとして選択するための提供希望選択画面画像を前記第２ユーザの表示装置に表示させるための制御を実行する手段を含み、
前記提供希望選択画面画像には、前記第２ユーザ識別情報に関連づけられたゲームオブジェクトのうちの、前記リストデータに含まれるゲームオブジェクトが優先表示又は区別表示される、
ことを特徴とするゲームシステム。
【請求項７】
ユーザ識別情報にゲームオブジェクトが関連づけられたゲームを実行するゲームシステムにおいて、
第１ユーザ識別情報に関連づけられたゲームオブジェクトのうちから選択される少なくとも一つの入手希望ゲームオブジェクトと、第２ユーザ識別情報に関連づけられたゲームオブジェクトのうちから選択される少なくとも一つの提供希望ゲームオブジェクトとの交換申請を、前記第２ユーザ識別情報によって識別される第２ユーザから受け付ける交換申請受付手段と、
前記交換申請に基づいて、前記入手希望ゲームオブジェクトと前記提供希望ゲームオブジェクトとの交換を前記第１ユーザ識別情報と前記第２ユーザ識別情報との間で実行する交換実行手段と、
を含み、
前記交換申請受付手段は、前記入手希望ゲームオブジェクトの選択と前記提供希望ゲームオブジェクトの選択とを前記第２ユーザから受け付ける選択受付手段を含み、前記選択受付手段は、一回の交換における前記入手希望ゲームオブジェクト及び前記提供希望ゲームオブジェクトの少なくとも一方として、前記第２ユーザから任意の組み合わせのゲームオブジェクトの選択を受け付け、
前記ゲームシステムは、
前記第１ユーザ識別情報に対する複数の交換申請のいずれかの選択を、前記第１ユーザ識別情報によって識別される第１ユーザから受け付ける手段と、
前記複数の交換申請のうちの、前記第１ユーザによって選択された交換申請以外の交換申請であって、かつ、前記第１ユーザによって選択された交換申請において前記入手希望ゲームオブジェクトとして選択されているゲームオブジェクトと同一のゲームオブジェクトが前記入手希望ゲームオブジェクトして選択されている交換申請に関する情報を前記第１ユーザの表示装置に表示させるための制御を実行する手段と、を含む、
ことを特徴とするゲームシステム。
【請求項８】
ユーザ識別情報にゲームオブジェクトが関連づけられたゲームを実行するゲームシステムにおいて、
第１ユーザ識別情報に関連づけられたゲームオブジェクトのうちから選択される少なくとも一つの入手希望ゲームオブジェクトと、第２ユーザ識別情報に関連づけられたゲームオブジェクトのうちから選択される少なくとも一つの提供希望ゲームオブジェクトとの交換申請を、前記第２ユーザ識別情報によって識別される第２ユーザから受け付ける交換申請受付手段と、
前記交換申請に基づいて、前記入手希望ゲームオブジェクトと前記提供希望ゲームオブジェクトとの交換を前記第１ユーザ識別情報と前記第２ユーザ識別情報との間で実行する交換実行手段と、
を含み、
前記交換申請受付手段は、前記入手希望ゲームオブジェクトの選択と前記提供希望ゲームオブジェクトの選択とを前記第２ユーザから受け付ける選択受付手段を含み、前記選択受付手段は、一回の交換における前記入手希望ゲームオブジェクト及び前記提供希望ゲームオブジェクトの少なくとも一方として、前記第２ユーザから任意の組み合わせのゲームオブジェクトの選択を受け付け、
前記ゲームシステムは、前記第１ユーザ識別情報に対する交換申請のうちの一の交換申請の内容を示す交換申請内容画面画像を、前記第１ユーザ識別情報によって識別される第１ユーザの表示装置に表示させるための制御を実行する表示制御手段を含み、
当該表示制御手段は、前記一の交換申請において前記入手希望ゲームオブジェクトとして選択されているゲームオブジェクトと同一のゲームオブジェクトが前記入手希望ゲームオブジェクトとして選択されている他の交換申請を検索し、検索した当該他の交換申請に関する情報が表示される前記交換申請内容画面画像を前記表示装置に表示させるための制御を実行する、
ことを特徴とするゲームシステム。
【請求項９】
請求項１乃至８のいずれかに記載のゲームシステムにおいて、
前記第１ユーザ識別情報に関連づけられたゲームオブジェクトのうちの少なくとも一つを提供候補ゲームオブジェクトとして選択することを、前記第１ユーザ識別情報によって識別される第１ユーザから受け付ける提供候補選択受付手段を含み、
前記選択受付手段は、前記第１ユーザによって前記提供候補ゲームオブジェクトとして選択されたゲームオブジェクトのうちの少なくとも一つを前記入手希望ゲームオブジェクトとして選択することを前記第２ユーザから受け付ける、
ことを特徴とするゲームシステム。
【請求項１０】
請求項２乃至９のいずれかに記載のゲームシステムにおいて、
前記交換申請受付手段は、前記第１ユーザ識別情報に関連づけられたゲームオブジェクトのうちの同一のゲームオブジェクトが前記入手希望ゲームオブジェクトとして選択された複数の交換申請を受け付け可能であり、
前記ゲームシステムは、前記複数の交換申請のうちの一の交換申請に対する承諾を、前記第１ユーザ識別情報によって識別される第１ユーザから受け付ける承諾受付手段を含み、
前記交換実行手段は、前記第１ユーザによって前記複数の交換申請のうちの一の交換申請が承諾された場合に、当該一の交換申請における前記入手希望ゲームオブジェクトと、当該一の交換申請における前記提供希望ゲームオブジェクトとの交換を実行する、
ことを特徴とするゲームシステム。
【請求項１１】
第１ユーザ識別情報に関連づけられたゲームオブジェクトのうちから選択される少なくとも入手希望ゲームオブジェクトと、第２ユーザ識別情報に関連づけられたゲームオブジェクトのうちから選択される少なくとも一つの提供希望ゲームオブジェクトとの交換申請を、前記第２ユーザ識別情報によって識別されるユーザから受け付ける交換申請受付手段を含む交換申請受付装置であって、
前記交換申請受付手段は、前記入手希望ゲームオブジェクトの選択と前記提供希望ゲームオブジェクトの選択とを前記ユーザから受け付ける選択受付手段を含み、
前記選択受付手段は、一回の交換における前記入手希望ゲームオブジェクト及び前記提供希望ゲームオブジェクトの少なくとも一方として、前記ユーザから任意の組み合わせのゲームオブジェクトの選択を受け付け、
前記交換申請受付手段は、前記第１ユーザ識別情報に関連づけられたゲームオブジェクトのうちの同一のゲームオブジェクトが前記入手希望ゲームオブジェクトとして選択された複数の交換申請を受け付け可能であり、
前記交換申請受付装置は、前記複数の交換申請のうちの一の交換申請に対する承諾を、前記第１ユーザ識別情報によって識別される第１ユーザから受け付ける承諾受付手段を含み、
前記交換実行手段は、前記第１ユーザによって前記複数の交換申請のうちの一の交換申請が承諾された場合に、当該一の交換申請における前記入手希望ゲームオブジェクトと、当該一の交換申請における前記提供希望ゲームオブジェクトとの交換を実行し、
前記交換申請受付装置は、前記第１ユーザによって前記複数の交換申請のうちの一の交換申請が承諾された場合に、前記複数の交換申請のうちの他の交換申請を取り消す交換申請取消手段を含む、
ことを特徴とする交換申請受付装置。
【請求項１２】
第１ユーザ識別情報に関連づけられたゲームオブジェクトのうちから選択される少なくとも入手希望ゲームオブジェクトと、第２ユーザ識別情報に関連づけられたゲームオブジェクトのうちから選択される少なくとも一つの提供希望ゲームオブジェクトとの交換申請を、前記第２ユーザ識別情報によって識別されるユーザから受け付ける交換申請受付手段を含む交換申請受付装置であって、
前記交換申請受付手段は、前記入手希望ゲームオブジェクトの選択と前記提供希望ゲームオブジェクトの選択とを前記ユーザから受け付ける選択受付手段を含み、
前記選択受付手段は、一回の交換における前記入手希望ゲームオブジェクト及び前記提供希望ゲームオブジェクトの少なくとも一方として、前記ユーザから任意の組み合わせのゲームオブジェクトの選択を受け付け、
前記交換申請受付装置は、前記第１ユーザ識別情報に関連づけられたゲームオブジェクトのうちの少なくとも一つを前記入手希望ゲームオブジェクトとして選択するための入手希望選択画面画像を前記第２ユーザの表示装置に表示させるための制御を実行する手段を含み、
前記入手希望選択画面画像には、前記第１ユーザ識別情報に関連づけられたゲームオブジェクトが前記入手希望ゲームオブジェクトとして選択された既存の交換申請に関する情報が表示される、
ことを特徴とする交換申請受付装置。
【請求項１３】
第１ユーザ識別情報に関連づけられたゲームオブジェクトのうちから選択される少なくとも入手希望ゲームオブジェクトと、第２ユーザ識別情報に関連づけられたゲームオブジェクトのうちから選択される少なくとも一つの提供希望ゲームオブジェクトとの交換申請を、前記第２ユーザ識別情報によって識別されるユーザから受け付ける交換申請受付手段を含む交換申請受付装置であって、
前記交換申請受付手段は、前記入手希望ゲームオブジェクトの選択と前記提供希望ゲームオブジェクトの選択とを前記ユーザから受け付ける選択受付手段を含み、
前記選択受付手段は、一回の交換における前記入手希望ゲームオブジェクト及び前記提供希望ゲームオブジェクトの少なくとも一方として、前記ユーザから任意の組み合わせのゲームオブジェクトの選択を受け付け、
前記交換申請受付装置は、前記第１ユーザ識別情報に関連づけて記憶される、前記第１ユーザ識別情報によって識別される第１ユーザが所望するゲームオブジェクトのリストデータに基づいて、前記第１ユーザ識別情報に対する交換申請の一覧を示す交換申請一覧画面画像を前記第１ユーザの表示装置に表示させるための制御を実行する手段を含み、
前記交換申請一覧画面画像には、前記第１ユーザ識別情報に対する交換申請のうちの、前記リストデータに含まれるゲームオブジェクトが前記提供希望オブジェクトとして選択されている交換申請が優先表示又は区別表示される、
ことを特徴とする交換申請受付装置。
【請求項１４】
第１ユーザ識別情報に関連づけられたゲームオブジェクトのうちから選択される少なくとも入手希望ゲームオブジェクトと、第２ユーザ識別情報に関連づけられたゲームオブジェクトのうちから選択される少なくとも一つの提供希望ゲームオブジェクトとの交換申請を、前記第２ユーザ識別情報によって識別されるユーザから受け付ける交換申請受付手段を含む交換申請受付装置であって、
前記交換申請受付手段は、前記入手希望ゲームオブジェクトの選択と前記提供希望ゲームオブジェクトの選択とを前記ユーザから受け付ける選択受付手段を含み、
前記選択受付手段は、一回の交換における前記入手希望ゲームオブジェクト及び前記提供希望ゲームオブジェクトの少なくとも一方として、前記ユーザから任意の組み合わせのゲームオブジェクトの選択を受け付け、
前記交換申請受付装置は、前記第１ユーザ識別情報に関連づけて記憶される、前記第１ユーザ識別情報によって識別される第１ユーザが所望するゲームオブジェクトのリストデータに基づいて、前記第１ユーザ識別情報に対する交換申請の内容を示す交換申請内容画面画像を前記第１ユーザの表示装置に表示させるための制御を実行する手段を含み、
前記交換申請内容画面画像には、前記交換申請において前記提供希望ゲームオブジェクトとして選択されているゲームオブジェクトのうちの、前記リストデータに含まれるゲームオブジェクトが優先表示又は区別表示される、
ことを特徴とする交換申請受付装置。
【請求項１５】
第１ユーザ識別情報に関連づけられたゲームオブジェクトのうちから選択される少なくとも入手希望ゲームオブジェクトと、第２ユーザ識別情報に関連づけられたゲームオブジェクトのうちから選択される少なくとも一つの提供希望ゲームオブジェクトとの交換申請を、前記第２ユーザ識別情報によって識別されるユーザから受け付ける交換申請受付手段を含む交換申請受付装置であって、
前記交換申請受付手段は、前記入手希望ゲームオブジェクトの選択と前記提供希望ゲームオブジェクトの選択とを前記ユーザから受け付ける選択受付手段を含み、
前記選択受付手段は、一回の交換における前記入手希望ゲームオブジェクト及び前記提供希望ゲームオブジェクトの少なくとも一方として、前記ユーザから任意の組み合わせのゲームオブジェクトの選択を受け付け、
前記交換申請受付装置は、
前記第１ユーザ識別情報に関連づけられたゲームオブジェクトのうちの少なくとも一つの選択を、前記第１ユーザ識別情報によって識別される第１ユーザから受け付ける手段と、
前記第１ユーザによって選択されたゲームオブジェクトが前記入手希望ゲームオブジェクトとして選択されている交換申請に関する情報を前記第１ユーザの表示装置に表示させるための制御を実行する手段と、を含む、
ことを特徴とする交換申請受付装置。
【請求項１６】
第１ユーザ識別情報に関連づけられたゲームオブジェクトのうちから選択される少なくとも入手希望ゲームオブジェクトと、第２ユーザ識別情報に関連づけられたゲームオブジェクトのうちから選択される少なくとも一つの提供希望ゲームオブジェクトとの交換申請を、前記第２ユーザ識別情報によって識別されるユーザから受け付ける交換申請受付手段を含む交換申請受付装置であって、
前記交換申請受付手段は、前記入手希望ゲームオブジェクトの選択と前記提供希望ゲームオブジェクトの選択とを前記ユーザから受け付ける選択受付手段を含み、
前記選択受付手段は、一回の交換における前記入手希望ゲームオブジェクト及び前記提供希望ゲームオブジェクトの少なくとも一方として、前記ユーザから任意の組み合わせのゲームオブジェクトの選択を受け付け、
前記交換申請受付装置は、前記第１ユーザ識別情報に関連づけて記憶される、前記第１ユーザ識別情報によって識別される第１ユーザが所望するゲームオブジェクトのリストデータに基づいて、前記第２ユーザ識別情報に関連づけられたゲームオブジェクトのうちの少なくとも一つを前記提供希望ゲームオブジェクトとして選択するための提供希望選択画面画像を前記第２ユーザの表示装置に表示させるための制御を実行する手段を含み、
前記提供希望選択画面画像には、前記第２ユーザ識別情報に関連づけられたゲームオブジェクトのうちの、前記リストデータに含まれるゲームオブジェクトが優先表示又は区別表示される、
ことを特徴とする交換申請受付装置。
【請求項１７】
第１ユーザ識別情報に関連づけられたゲームオブジェクトのうちから選択される少なくとも入手希望ゲームオブジェクトと、第２ユーザ識別情報に関連づけられたゲームオブジェクトのうちから選択される少なくとも一つの提供希望ゲームオブジェクトとの交換申請を、前記第２ユーザ識別情報によって識別されるユーザから受け付ける交換申請受付手段を含む交換申請受付装置であって、
前記交換申請受付手段は、前記入手希望ゲームオブジェクトの選択と前記提供希望ゲームオブジェクトの選択とを前記ユーザから受け付ける選択受付手段を含み、
前記選択受付手段は、一回の交換における前記入手希望ゲームオブジェクト及び前記提供希望ゲームオブジェクトの少なくとも一方として、前記ユーザから任意の組み合わせのゲームオブジェクトの選択を受け付け、
前記交換申請受付装置は、
前記第１ユーザ識別情報に対する複数の交換申請のいずれかの選択を、前記第１ユーザ識別情報によって識別される第１ユーザから受け付ける手段と、
前記複数の交換申請のうちの、前記第１ユーザによって選択された交換申請以外の交換申請であって、かつ、前記第１ユーザによって選択された交換申請において前記入手希望ゲームオブジェクトとして選択されているゲームオブジェクトと同一のゲームオブジェクトが前記入手希望ゲームオブジェクトして選択されている交換申請に関する情報を前記第１ユーザの表示装置に表示させるための制御を実行する手段と、を含む、
ことを特徴とする交換申請受付装置。
【請求項１８】
第１ユーザ識別情報に関連づけられたゲームオブジェクトのうちから選択される少なくとも入手希望ゲームオブジェクトと、第２ユーザ識別情報に関連づけられたゲームオブジェクトのうちから選択される少なくとも一つの提供希望ゲームオブジェクトとの交換申請を、前記第２ユーザ識別情報によって識別されるユーザから受け付ける交換申請受付手段を含む交換申請受付装置であって、
前記交換申請受付手段は、前記入手希望ゲームオブジェクトの選択と前記提供希望ゲームオブジェクトの選択とを前記ユーザから受け付ける選択受付手段を含み、
前記選択受付手段は、一回の交換における前記入手希望ゲームオブジェクト及び前記提供希望ゲームオブジェクトの少なくとも一方として、前記ユーザから任意の組み合わせのゲームオブジェクトの選択を受け付け、
前記交換申請受付装置は、前記第１ユーザ識別情報に対する交換申請のうちの一の交換申請の内容を示す交換申請内容画面画像を、前記第１ユーザ識別情報によって識別される第１ユーザの表示装置に表示させるための制御を実行する表示制御手段を含み、
当該表示制御手段は、前記一の交換申請において前記入手希望ゲームオブジェクトとして選択されているゲームオブジェクトと同一のゲームオブジェクトが前記入手希望ゲームオブジェクトとして選択されている他の交換申請を検索し、検索した当該他の交換申請に関する情報が表示される前記交換申請内容画面画像を前記表示装置に表示させるための制御を実行する、
ことを特徴とする交換申請受付装置。
【請求項１９】
請求項１乃至１０のいずれかに記載のゲームシステム、又は、請求項１１乃至請求項１８のいずれかに記載の交換申請受付装置としてコンピュータを機能させるためのプログラム。
【手続補正２】
【補正対象書類名】明細書
【補正対象項目名】００７７
【補正方法】変更
【補正の内容】
【００７７】
表示領域Ａ２４１０には、入手希望カード選択画面画像Ｇ２２００において選択した入手希望カードの情報を示す表示領域Ａ２４１１と、提供希望カード選択画面画像Ｇ２３００において選択した提供希望カードの情報を示す表示領域Ａ２４１２が含まれる。また、表示領域Ａ２４１２において、ユーザＵａの「ほしいものリスト」に登録されているゲームカードＣｘについては、枠画像Ｐ２４１２１が表示される。
【手続補正３】
【補正対象書類名】明細書
【補正対象項目名】００７９
【補正方法】変更
【補正の内容】
【００７９】
以上が、ユーザによる交換申請の手続の一例である。なお、ゲームシステム１では、同一の出品カードに対して、同一のユーザが複数の交換申請をすることも可能としてよい。例えば、ゲームシステム１では、ユーザＵｂが、ユーザＵａのゲームカードＣａとゲームカードＣｃを入手希望カード、ユーザＵｂのゲームカードＣｘとゲームカードＣｘを提供希望カードとする第１の交換申請に加えて、ユーザＵａのゲームカードＣａを入手希望カード、ユーザＵｂのゲームカードＣｘを提供希望カードとする第２の交換申請を行うことも許容されることとしてよい。
【手続補正４】
【補正対象書類名】明細書
【補正対象項目名】００８３
【補正方法】変更
【補正の内容】
【００８３】
図１１は、ユーザＵｂ，ＵｃからユーザＵａに対して交換申請がなされている場合について示している。このため、表示領域Ａ１４１１には、ユーザＵｂからの交換申請の情報が表示され、表示領域Ａ１４１２には、ユーザＵｃからの交換申請の情報が表示される。そして、表示領域Ａ１４１０においては、ユーザＵａが他のユーザから交換の申請を受けているゲームカードのうち、ユーザＵａが「ほしいもの」に登録しているゲームカードを、ユーザＵａが「ほしいもの」に登録していないゲームカードに対して区別表示することとしてよい。例えば、ゲームカードＣｘ及びＣｙがユーザＵａの「ほしいもの」に登録されているゲームカードである場合には、図１１に示されるように、ゲームカードＣｘを取り囲む枠画像Ｐ１４１１１と、ゲームカードＣｙを取り囲む枠画像Ｐ１４１２１が表示される。一方で、ゲームカードＣｚは、ユーザＵａの「ほしいもの」に登録されていないゲームカードであるため、枠画像は表示されない。
【手続補正５】
【補正対象書類名】明細書
【補正対象項目名】００９３
【補正方法】変更
【補正の内容】
【００９３】
表示領域Ａ１６１０は、ユーザＵａに対する交換申請のうち、選択カードが入手希望カードに含まれている交換申請の情報を表示する領域である。図１３に示す例においては、表示領域Ａ１６１０には、２つの交換申請の情報が表示されている。表示領域Ａ１６１１には、１つ目の交換申請の情報（ユーザＵａのゲームカードＣａ，ＣｃとユーザＵｂのゲームカードＣｘ，Ｃｚとの交換申請の情報）が表示され、表示領域Ａ１６１２には、２つ目の交換申請の情報（ユーザＵａのゲームカードＣｃとユーザＵｃのゲームカードＣｙとの交換申請の情報）が表示される。なお、表示領域Ａ１６１１及び表示領域Ａ１６１２において、ユーザＵａの「ほしいもの」に登録されているゲームカードＣｘ、Ｃｙについては、枠画像Ｐ１６１１１及びＰ１６１２１が表示される。
【手続補正６】
【補正対象書類名】明細書
【補正対象項目名】０１２４
【補正方法】変更
【補正の内容】
【０１２４】
上記の「出品フラグ」は、例えば、ゲームカードが出品カードとして選択されている場合には「１」、出品カードとして選択されていない場合には「０」が格納される。なお、上記の「出品カード」とは、ユーザが他のユーザからゲームカードを入手することと引き替えに、当該他のユーザに提供することを許可するゲームカードである。また、「出品フラグ」の情報は、後述する提供候補選択受付部３２０により受け付けた情報に基づいて更新される。
【手続補正７】
【補正対象書類名】明細書
【補正対象項目名】０２１５
【補正方法】変更
【補正の内容】
【０２１５】
例えば、表示制御部３１０は、交換申請情報テーブルＴＢＬ１０４の中から、交換申請承諾画面画像Ｇ１５００に表示する交換申請の交換申請ＩＤ（すなわち、交換申請選択受付部３４０により受け付けた交換申請ＩＤ）に関連付けられる入手希望カードの情報を取得する。そして、表示制御部３１０は、交換申請情報テーブルＴＢＬ１０４の中から、上記取得した入手希望カードと同一のゲームカードが「入手希望カード」の項目に含まれている他の交換申請を検索する。そして、表示制御部３１０は、上記検索の結果、他の交換申請が検索された場合には、当該他の交換申請に関する情報を表示領域Ａ１５２０に含む交換申請承諾画面画像Ｇ１５００を表示するためのデータを生成し、生成したデータを第１端末１０−１に送信する。そして、第１端末１０−１の表示制御部１００は、表示制御部３１０によって送信されたデータに基づいて交換申請承諾画面画像Ｇ１５００を第１端末１０−１の表示部１５に表示させる。
【手続補正８】
【補正対象書類名】明細書
【補正対象項目名】０２１６
【補正方法】変更
【補正の内容】
【０２１６】
［３．６．ゲームオブジェクト選択受付部３５０及びゲームオブジェクト選択結果通知部１５０］
ゲームオブジェクト選択受付部３５０は、主にサーバ３０の制御部３１、記憶部３２、及び通信部３３により実現される。一方、ゲームオブジェクト選択結果通知部１５０は、主に第１端末１０−１の制御部１１、記憶部１２、通信部１３、及び入力部１４により実現される。
【手続補正９】
【補正対象書類名】明細書
【補正対象項目名】０３１２
【補正方法】変更
【補正の内容】
【０３１２】
〔６〕例えば、第１端末１０−１と第２端末１０−２とはサーバ３０を介さずにＰ２Ｐ（ピアツーピア）により通信することとしてもよい。この場合には、例えば第１端末１０−１又は第２端末１０−２のいずれかがサーバ３０の機能を兼ねることとしてよい。すなわち、この場合には、第１端末１０−１又は第２端末１０−２のうちいずれかが、データ記憶部３００、表示制御部３１０、提供候補選択受付部３２０、交換申請受付部３３０、交換申請選択受付部３４０、ゲームオブジェクト選択受付部３５０、承諾受付部３６０、交換実行部３７０、及び交換申請取消部３８０の機能をさらに備えることとしてよい。